(57)【要約】【課題】ゴミ袋を傷つけることなく保持し、更には、使用者がゴミをその種類により分別した状態で二つのゴミ袋に各別に投入することができるようにしたゴミ袋保持体を提供する。【解決手段】ゴミ袋保持体の本体における開口した上端を形成する上端開口部２１には、ゴミ袋の開口縁を固定するゴミ袋固定枠２３を着脱自在に外嵌したことを特徴とするゴミ袋保持体。前記ゴミ袋固定枠２３には、レジ袋の取っ手部を係止するための係止突起３１を備えたレジ袋保持枠３３を着脱自在に取り付ける。前記ゴミ袋固定枠には、レジ袋の取っ手部を係止するための係止突起を備えさせる。【選択図】図１
0003146400.tif 000002
【実用新案登録請求の範囲】
【請求項１】
ゴミ袋保持体の本体における開口した上端を形成する上端開口部には、ゴミ袋の開口縁を固定するゴミ袋固定枠を着脱自在に外嵌したことを特徴とするゴミ袋保持体。
【請求項２】
前記ゴミ袋固定枠には、レジ袋の取っ手部を係止するための係止突起を備えたレジ袋保持枠を着脱自在に取り付けたことを特徴とする請求項１に記載のゴミ袋保持体。
【請求項３】
前記ゴミ袋固定枠には、レジ袋の取っ手部を係止するための係止突起を備えさせたことを特徴とする請求項１に記載のゴミ袋保持体。
【考案の詳細な説明】
【技術分野】
【０００１】
本考案は、ゴミ袋保持体に関するものであり、更に詳しくは、ゴミを投入しやすいように上端を開口させた状態でゴミ袋を保持するゴミ袋保持体に係るものである。ゴミ袋は、一般に、ポリエチレン等の合成樹脂により上端を開口させた状態で形成されている。
【背景技術】
【０００２】
実用新案登録第３１１４４０７号公報は、ゴミを投入しやすいように上端を開口させた状態でゴミ袋を保持するゴミ袋保持体（以下「従来のゴミ袋保持体」という。）を開示している。
【特許文献１】実用新案登録第３１１４４０７号公報
【考案の開示】
【考案が解決しようとする課題】
【０００３】
しかるに、上記従来のゴミ袋保持体は、ゴミ袋の開口縁を洗濯ばさみによりゴミ袋保持体の開口上端に挟持するようにしているため、特に生ゴミ等の重いゴミを投入したゴミ袋の場合には、該ゴミ袋の開口縁における洗濯ばさみが圧接する部分が破れるおそれがある。
【０００４】
また、上記従来のゴミ袋保持体は、一つのゴミ袋のみを保持するものであって、二つのゴミ袋を保持するものではないため、使用者がゴミをその種類により分別した状態で二つのゴミ袋に各別に投入することはできない。
【０００５】
本考案は、上記従来のゴミ袋保持体における上述の如き問題を解決し、ゴミ袋を傷つけることなく保持し、更には、使用者がゴミをその種類により分別した状態で二つのゴミ袋に各別に投入することができるようにしたゴミ袋保持体を提供しようとしてなされたものである。
【課題を解決するための手段】
【０００６】
上記課題を解決するために、本考案は下記のゴミ袋保持体を提供する。
【０００７】
（１）ゴミ袋保持体の本体における開口した上端を形成する上端開口部には、ゴミ袋の開口縁を固定するゴミ袋固定枠を着脱自在に外嵌したことを特徴とするゴミ袋保持体（請求項１）。
【０００８】
（２）前記ゴミ袋固定枠には、レジ袋の取っ手部を係止するための係止突起を備えたレジ袋保持枠を着脱自在に取り付ける（請求項２）。
なお、「レジ袋」とは、スーパーマーケット、コンビニエンスストア等の小売店において、購入した商品を客が持ち帰るための入れ物としてレジ（金銭支払場所）にて客に渡されるポリエチレン等の合成樹脂により形成された袋をいう。
【０００９】
（３）前記ゴミ袋固定枠には、レジ袋の取っ手部を係止するための係止突起を備えさせる（請求項３）。
【考案の効果】
【００１０】
［請求項１の考案］
請求項１の考案によれば、ゴミ袋の開口縁は、洗濯ばさみにより挟持される場合の如く小さな面積に局部的に大きな力を受けることがなく、ゴミ袋保持体の上端開口部と該上端開口部に外嵌されるゴミ袋固定枠との間に挟持されるものであり、大きな面積に均一な力を受ける。したがって、ゴミ袋の開口縁がゴミ袋固定枠により破れるおそれはない。ゴミ袋は、ゴミ袋固定枠をゴミ袋保持体の上端開口部に着脱することにより、ゴミ袋保持体に対し容易に着脱することができる。
【００１１】
［請求項２の考案］
請求項２の考案によれば、ゴミ袋の開口縁をゴミ袋保持体の上端開口部とゴミ袋固定枠との間に挟持させた状態でレジ袋の取っ手部をレジ袋保持枠の係止突起に係止させることができる。換言すれば、ゴミ袋保持体にゴミ袋とレジ袋とをそれぞれ上端を開口させた状態で同時に保持させることができる。なお、請求項２の考案においては、使用済みの空のレジ袋をゴミ袋として使用している。
【００１２】
このように、ゴミ袋保持体にゴミ袋とレジ袋とをそれぞれ上端を開口させた状態で同時に保持させることができるため、使用者はゴミをその種類により分別した状態でゴミ袋とレジ袋とに各別に投入することができる。
【００１３】
レジ袋保持枠はゴミ袋固定枠に対し着脱自在であるため、レジ袋をゴミ袋保持体に保持させる必要がないときには、レジ袋保持枠をゴミ袋保持体から取り外すことができる。
【００１４】
［請求項３の考案］
請求項３の考案は、レジ袋の取っ手部を係止するための係止突起をゴミ袋固定枠に直接備えさせたものであり、レジ袋保持枠を有しない。この点を除き、請求項３の考案は、前記請求項２の考案と同様の効果を発揮する。
【考案を実施するための最良の形態】
【００１５】
符号１に示すものは、ゴミ袋保持体の本体である。
【００１６】
本体１は、好ましくは上端を開口した枠状体とし、一例としてキャスター３を備えた基部５上には複数の垂直部材７を立設し、該垂直部材７間には水平部材９を取り付けてなるものである。
【００１７】
水平部材９は、ゴミ袋１３内にゴミを投入したときに、該ゴミ袋１３の膨出を防止するという役割を果たす。因みに、ゴミ袋１３が膨出したときには、該ゴミ袋１３をゴミ袋保持体の本体１から取り出す作業が困難になる。
【００１８】
符号１１に示すものは、ゴミ袋１３の底部１３ａを支持する底板である。底板１１は、ゴミ袋１３の高さに応じて適宜の水平部材９ないし基部５上に載置する。
【００１９】
底板１１は、一例として、図１４に示すように、複数の短冊状の板１５を連結板１７により隙間１９を置いて連結してなるスノコ板状体とする。
【００２０】
ゴミ袋保持体の本体１における開口した上端を形成する上端開口部２１は、好ましくは略長方形状の枠体よりなるものとする。図６参照。
【００２１】
上端開口部２１には、ゴミ袋１３の開口縁１３ｂを固定するゴミ袋固定枠２３を着脱自在に外嵌する。
【００２２】
ゴミ袋１３の開口縁１３ｂは、上端開口部２１と該上端開口部２１に外嵌されるゴミ固定枠２３との間に挟持されることによりゴミ袋保持体に開口した状態で保持される。すなわち、ゴミ袋１３は、ゴミを投入しやすいように上端を開口した状態でゴミ袋保持体に保持される。
【００２３】
符号２５に示すものは、小型のゴミ袋２７の開口縁２７ｂを固定する小型ゴミ袋固定枠である。
【００２４】
小型ゴミ袋固定枠２５は、ゴミ袋固定枠２３の内方において上端開口部２１上に載置されるものである。小型のゴミ袋２７は小型ゴミ袋固定枠２５の内方に位置し、小型のゴミ袋２７の開口縁２７ｂは、小型ゴミ袋固定枠２５の縁上を通り、上端開口部２１と該上端開口部２１に外嵌されるゴミ固定枠２３との間に挟持されることによりゴミ袋保持体に開口した状態で保持される。
【００２５】
ゴミ袋固定枠２３には、ゴミ袋として使用されるレジ袋２９の取っ手部２９ａを係止するための係止突起３１を備えたレジ袋保持枠３３を着脱自在に取り付ける。
【００２６】
図１〜図１１に示す事例においては、レジ袋保持枠３３は小型ゴミ袋固定枠２５を介してゴミ袋固定枠２３上に取り付けられている。この事例においては、小型ゴミ袋固定枠２５はゴミ袋固定枠２３上におけるレジ袋保持枠３３の位置決め手段としての役割をも担っている。
【００２７】
図１２、図１３に示す事例においては、ゴミ袋として使用されるレジ袋２９の取っ手部２９ａを係止するための係止突起３１は、ゴミ袋固定枠２３に直接備えさせている。
【００２８】
係止突起３１は、レジ袋２９の取っ手部２９ａを係止し得るものであれば、如何なるものであってもよい。
【００２９】
図１〜図１１に示す事例における係止突起３１は、突出基部３１ａの両端に棒状部３１ｂを突出させてなるものである。
【００３０】
図１２、図１３に示す事例における係止突起３１は、突出体３１ｃの両端に張り出し部３１ｄを備えさせてなるものである。
【００３１】
係止突起３１を備えたゴミ袋保持体においては、ある種類のゴミ３５ａと別の種類のゴミ３５ｂとがそれぞれゴミ袋１３とレジ袋２９とに各別に投入されている。
【００３２】
図示のゴミ袋保持体は木製であるが、ゴミ袋保持体は金属、合成樹脂等により形成しても差し支えない。
【図面の簡単な説明】
【００３３】
【図１】本考案によるゴミ袋保持体の一例を分解して示す断面図である。
【図２】同上ゴミ袋保持体にゴミ袋を取り付けた状態を示す断面図である。
【図３】同上ゴミ袋保持体の使用状態の一例を示す断面図である。
【図４】同上ゴミ袋保持体の使用状態の別の一例を示す断面図である。
【図５】同上ゴミ袋保持体の使用状態の更に別の一例を示す断面図である。
【図６】上端開口部の平面図である。
【図７】ゴミ袋固定枠の平面図である。
【図８】図７のＶＩＩＩ−ＶＩＩＩ線における断面図である。
【図９】小型ゴミ袋固定枠の平面図である。
【図１０】レジ袋保持枠の平面図である。
【図１１】同上ゴミ袋保持体の使用状態の更に別の一例を示す断面図である。
【図１２】本考案によるゴミ袋保持体の別の一例における使用状態を示す断面図である。
【図１３】同上ゴミ袋保持体における係止突起にレジ袋の取っ手部を係止させた状態を示す平面図である。
【図１４】底板の平面図である。
【符号の説明】
【００３４】
１  ゴミ袋保持体の本体
３  キャスター
５  基部
７  垂直部材
９  水平部材
１１  底板
１３  ゴミ袋
１３ａ  底部
１３ｂ  開口縁
１５  短冊状の板
１７  連結板
１９  隙間
２１  上端開ロ部
２３  ゴミ袋固定枠
２５  小型ゴミ袋固定枠
２７  小型のゴミ袋
２７ｂ  開口縁
２９  レジ袋
２９ａ  取っ手部
３１  係止突起
３１ａ  突出基部
３１ｂ  棒状部
３１ｃ  突出体
３１ｄ  張り出し部
３３  レジ袋保持枠
３５ａ ゴミ
３５ｂ ゴミ
【図１】
0003146400.tif 000003
【図２】
0003146400.tif 000004
【図３】
0003146400.tif 000005
【図４】
0003146400.tif 000006
【図５】
0003146400.tif 000007
【図６】
0003146400.tif 000008
【図７】
0003146400.tif 000009
【図８】
0003146400.tif 000010
【図９】
0003146400.tif 000011
【図１０】
0003146400.tif 000012
【図１１】
0003146400.tif 000013
【図１２】
0003146400.tif 000014
【図１３】
0003146400.tif 000015
【図１４】
0003146400.tif 000016